(57)【要約】【課題】楽曲から楽曲データを生成し、楽曲データと予め記憶した楽譜データとから演奏位置を求めた上で適格なタイミングで楽譜をめくる自動楽譜めくり機を提供すること。【解決手段】自動楽譜めくり機１は、演奏される楽曲の楽譜データをページ単位で予め記憶する楽譜データ記憶部４１と、演奏される楽曲を入力する楽曲入力部５０と、入力された楽曲を楽曲データに変換する楽曲データ変換部３１と、当該楽曲データに基づき記憶された楽譜データの演奏位置を算出する楽譜データ位置把握部３２と、算出された演奏位置に基づき、所定の条件で楽譜をめくる制御を行う楽譜めくり部３３と、を備える。【選択図】図４
2008126617.tif 000002
【特許請求の範囲】
【請求項１】
演奏される楽曲を認識し、前記演奏にあわせて演奏者が視認可能な位置に載置された楽譜を自動でめくる自動楽譜めくり機であって、
前記演奏される楽曲の楽譜データをページ単位で予め記憶する記憶手段と、
前記演奏される楽曲を入力する入力手段と、
前記入力された楽曲を楽曲データに変換し、当該楽曲データに基づき前記記憶された楽譜データの演奏位置を算出する演奏位置把握手段と、
前記算出された前記演奏位置に基づき、所定の条件で前記楽譜をめくる制御を行う楽譜めくり手段と、を備える自動楽譜めくり機。
【請求項２】
前記記憶された楽譜データには、前記楽譜をめくる制御に必要なデータを有する楽譜めくり用のマークを含んでおり、
前記所定の条件は、前記算出された前記演奏位置に前記楽譜めくり用のマークが存在するタイミングである、請求項１記載の自動楽譜めくり機。
【請求項３】
前記楽譜めくり用のマークは、前記楽譜をめくる順番と、前記楽譜をめくる枚数を指定しためくりページ数とを有し、
前記めくりページ数が負の値である場合には、当該値の分だけページが戻る、請求項２記載の自動楽譜めくり機。
【請求項４】
前記所定の条件は、前記算出された前記演奏位置が前記楽譜データの残り１小節のタイミングである、請求項１記載の自動楽譜めくり機。
【請求項５】
前記楽譜は電子化された楽譜データであり、
前記自動楽譜めくり機は、前記電子化された楽譜データを表示する表示手段をさらに備え、
前記楽譜めくり手段は、前記算出された演奏位置に基づき、所定の条件で前記電子化された楽譜データを前記表示手段に表示させる、請求項１乃至４のいずれかに記載の自動楽譜めくり機。
【発明の詳細な説明】
【技術分野】
【０００１】
本発明は、演奏者の楽曲の演奏にあわせて楽譜をめくる自動楽譜めくり機に関する。
【背景技術】
【０００２】
従来、楽器を演奏する演奏者は、複数ページある楽譜の楽曲を演奏する際には、自らの手で楽譜をめくりながら演奏することが行われている。譜面台上の楽譜を見ながら、演奏を行うが、演奏者が自らの手で楽譜をめくると、両手で演奏する楽器である場合等、楽譜をめくる間の演奏が中断され、又は演奏のスピードが遅れる等の演奏の妨げになる。従って、例えば、楽曲の中で音を伸ばしている間であって、手を離しても演奏自体に影響しないタイミングや、休符のタイミングで、楽譜をめくることを行っている。また、演奏している場所が楽譜のページの最後の方であった場合でページをめくるタイミングがないと、楽譜をある程度覚えておき、又は、楽譜を見なくても演奏できる状態にしておく。そして、早めのタイミングや、次のページに入ってから手がすいたタイミングでページをめくることを行っている。さらに、例えば、ピアノの演奏発表会のように、ページめくりの失敗が許されないような場合には、楽譜をめくるための人を補助でつけて演奏を行うことが一般的にされている。
【０００３】
このような問題を解決するものとして、譜面台の中央部近傍に備えられ、回転可能に保持され、少なくともその先端近傍に楽譜の保持あるいは係合を行う部材を備えた複数のめくり棒と、前記複数のめくり棒を１本ずつ順次回転させる回転手段とを備えた楽譜めくり装置が開示されている。また、この楽譜めくり装置を備えた電子楽器も開示されており、楽譜めくり装置に対して、ペダル等による手動制御あるいは演奏を自動追跡して自動的に楽譜をめくるものが開示されている（例えば、特許文献１）。
【特許文献１】特開平８−２４１０７６号公報
【発明の開示】
【発明が解決しようとする課題】
【０００４】
しかし、特許文献１に記載の従来の楽譜めくり装置では、自動的に楽譜をめくるためには、めくる動作の代わりに、ペダルを押す等の異なる新たな動作をする必要がある。また、自動的に楽譜をめくる場合であっても、演奏を追跡するために、演奏している楽器と一体となったものでなければならない。
【０００５】
そこで、本発明は、このような問題に鑑みてなされたもので、楽曲から楽曲データを生成し、楽曲データと予め記憶した楽譜データとから演奏位置を求めた上で適格なタイミングで楽譜をめくる自動楽譜めくり機を提供することを目的とする。
【課題を解決するための手段】
【０００６】
上記目的のため、具体的には以下のようなものを提供する。
【０００７】
（１）演奏される楽曲を認識し、前記演奏にあわせて演奏者が視認可能な位置に載置された楽譜を自動でめくる自動楽譜めくり機であって、
前記演奏される楽曲の楽譜データをページ単位で予め記憶する記憶手段と、
前記演奏される楽曲を入力する入力手段と、
前記入力された楽曲を楽曲データに変換し、当該楽曲データに基づき前記記憶された楽譜データの演奏位置を算出する演奏位置把握手段と、
前記算出された前記演奏位置に基づき、所定の条件で前記楽譜をめくる制御を行う楽譜めくり手段と、を備える自動楽譜めくり機。
【０００８】
（１）に記載の自動楽譜めくり機によれば、演奏される楽曲の楽譜データをページ単位で予め記憶する記憶手段（楽譜データ記憶部）と、演奏される楽曲を入力する入力手段（楽曲入力部）と、入力された楽曲を楽曲データに変換し、当該楽曲データに基づき記憶された楽譜データの演奏位置を算出する演奏位置把握手段（楽曲データ変換部、及び楽譜データ位置把握部）と、算出された演奏位置に基づき、所定の条件で楽譜をめくる制御を行う楽譜めくり手段（楽譜めくり部）と、を備える。
【０００９】
このような構成により、演奏される楽曲が入力され、楽曲データに変換することにより、予め記憶された楽譜データに基づき、演奏者は、楽曲の演奏位置を把握することができる。また、楽曲の位置を把握することにより、ページをめくるタイミングを把握することができ、自動で楽譜をめくる制御を行うことができる。
【００１０】
（２）前記記憶された楽譜データには、前記楽譜をめくる制御に必要なデータを有する楽譜めくり用のマークを含んでおり、
前記所定の条件は、前記算出された前記演奏位置に前記楽譜めくり用のマークが存在するタイミングである、（１）記載の自動楽譜めくり機。
【００１１】
（２）に記載の自動楽譜めくり機によれば、記憶された楽譜データには、楽譜めくり用のマークを含んでいる。楽譜めくり用のマークとは、楽譜をめくる制御に必要なデータを有するものである。この楽譜めくり用のマークを有することにより、算出された演奏位置に楽譜めくり用のマークがあることを条件として、楽譜をめくる制御を行うことができる。
【００１２】
このような構成により、楽譜をめくるタイミングを予め楽譜めくり用のマークとして設定することができ、ページをめくる適格なタイミングを設定することができる。
【００１３】
（３）前記楽譜めくり用のマークは、前記楽譜をめくる順番と、前記楽譜をめくる枚数を指定しためくりページ数とを有し、
前記めくりページ数が負の値である場合には、当該値の分だけページが戻る、（２）記載の自動楽譜めくり機。
【００１４】
（３）に記載の自動楽譜めくり機によれば、楽譜めくり用のマークは、楽譜をめくる順番と楽譜をめくる枚数を指定しためくりページ数とを有している。そのため、複雑にページを変える楽曲の楽譜であっても、ページ戻りを含め、演奏の順番どおりに適格なタイミングでページをめくるための設定をすることができる。楽曲によっては、繰り返し記号であるリピートや、セーニョ記号にまで戻るダルセーニョ（Ｄ．Ｓ．）、最初に戻るダカーポ（Ｄ．Ｃ．）等が存在する。このような記号が付された楽譜であっても、演奏の順番どおりにページをめくることができる。
【００１５】
（４）前記所定の条件は、前記算出された前記演奏位置が前記楽譜データの残り１小節のタイミングである、（１）記載の自動楽譜めくり機。
【００１６】
（４）に記載の自動楽譜めくり機によれば、演奏位置が楽譜データの残り１小節となった際に、楽譜をめくることができる。そのため、予め楽譜めくりのタイミングを設定することなく、自動的に、楽譜をめくることができる。
【００１７】
（５）前記楽譜は電子化された楽譜データであり、
前記自動楽譜めくり機は、前記電子化された楽譜データを表示する表示手段をさらに備え、
前記楽譜めくり手段は、前記算出された演奏位置に基づき、所定の条件で前記電子化された楽譜データを前記表示手段に表示させる、（１）乃至（４）のいずれかに記載の自動楽譜めくり機。
【００１８】
（５）に記載の自動楽譜めくり機によれば、電子化された楽譜データを表示する表示手段（画像出力部）をさらに備え、楽譜めくり手段は、算出された演奏位置に基づき、所定の条件で電子化された楽譜データを表示手段に表示させることができる。
【００１９】
このような構成により、楽譜冊子を載置するためのホルダー等を設けることなく、表示装置に表示することができるため、ホルダーから楽譜冊子が滑り落ちたり、ページめくりのミスを防ぎ、ページをめくることができる。
【発明の効果】
【００２０】
本発明の自動楽譜めくり機によれば、楽曲から楽曲データを生成し、楽曲データと予め記憶した楽譜データとから演奏位置を求めた上で適格なタイミングで楽譜をめくることができる。
【発明を実施するための最良の形態】
【００２１】
以下、本発明を実施するための最良の形態について図を参照しながら説明する。なお、これはあくまでも一例であって、本発明の技術的範囲はこれに限られるものではない。
【００２２】
［全体構成］
図１は、本発明の好適な実施形態の一例に係る自動楽譜めくり機１を含む、全体構成を示す概略図である。
【００２３】
自動楽譜めくり機１は、譜面台として機能し、楽譜６０（スコアともいう）を設置する。楽譜６０は本のように厚いものではなく、数ページのものを想定して作成している。しかし、楽譜６０が厚い本のような冊子であっても構わない。なぜならば、冊子である楽譜６０は、通常複数の演奏曲が収められており、１度の演奏で必要なページめくり数は数ページであると想定されるためである。
【００２４】
自動楽譜めくり機１は、後述する入力端子１４を有しており、スキャナ２０と接続可能に構成されている。スキャナ２０は、イメージ読み取り装置であり、スキャナ２０の原稿台に載せた楽譜６０を読み込む。読み込む楽譜６０は、演奏者が演奏時にホルダー２に載置する楽譜６０であり、ページ毎に読み込み処理を行う。スキャナ２０を用いて読み込むことにより、画像データである楽譜データが作成される。作成された楽譜データは自動楽譜めくり機１に送信され、後述する制御装置１３に格納される。
【００２５】
なお、実際に演奏者が演奏を行う際には、スキャナ２０は入力端子１４から外した状態で自動楽譜めくり機１を用いる。このことにより、コンパクトな装置のみで自動に楽譜６０をめくる機能を実現できる。
【００２６】
［構成図］
図２は、本発明の好適な実施形態の一例に係る自動楽譜めくり機１を示す構成図である。
【００２７】
自動楽譜めくり機１は、楽譜６０を載置する譜面台の役割をするホルダー２に、楽譜６０を固定するための４本の固定棒３と、各めくりページに挟み込むように使用する複数本のページめくり棒４と、が配設されている。４本の固定棒３は、ホルダー２の上面中央やや後方の位置であり、かつ、左右両側と、略中央近傍にそれぞれ固設され、楽譜６０の最初のページ及び最後のページを固定するために用いるものである。また、複数本のページめくり棒４は、２本が並設された状態で１組として構成され、演奏者は、演奏開始前に楽譜６０の各ページをそれぞれ挟み込むようにセットしておく。図２では、ページめくり棒４は、３組６本が記載されている。
【００２８】
固定棒３はページめくり棒４より棒の長さが短く構成されている。また、ページめくり棒４は、その背後に載置された楽譜６０が、演奏者にストレスを与えることなく読めるように、針金状のある程度細い部材で、かつ折れ曲がらないような丈夫な素材で作成されている。さらにまた、固定棒３及びページめくり棒４の上端には、ストッパ５が設けられている。ストッパ５は、開いた楽譜６０のページをそのまま保持する機能を補助するものである。ページめくりの際には、ストッパ５が設けられたページめくり棒４が左右にスライドするため、プラスチック製の部材等、ある程度滑りやすい素材であり、かつ、ストッパ５の背後に書かれた楽譜６０の記号が演奏者から読めるよう、透明な素材で作成されている。
【００２９】
また、ページめくり棒４は、ワイヤ１１に溶着されている。ワイヤ１１は、ホルダー２の上面中央やや後方の位置に左右にわたり設けられた溝の中に、ページめくり棒４の本数の半分の本数分が並べて敷設されている。ワイヤ１１の本数がページめくり棒４の本数の半分である理由は、１本のワイヤ１１に、１組２本のページめくり棒４が溶着されているためである。ワイヤ１１が左右にスライドするように動くことにより、同様に、ページめくり棒４が左右に動き、この原理を利用して楽譜６０のページをめくるのである。
【００３０】
また、ホルダー２の右方中央には、電源７が配設されている。電源７をオンにすることにより、自動楽譜めくり機１が自動で楽譜６０をめくる機能をなすことができる。電源７の後方には、電源７に近い方から奥に向かって順にスタートスイッチ８と、読み込みスイッチ９とが並んで配設されている。
【００３１】
スタートスイッチ８は、１回押すとボタンが凹み、オンの状態になる。もう１度押すとボタンが元の状態に戻り、オフの状態になる。演奏者は、演奏開始時に、スタートスイッチ８を押してオンの状態にし、演奏終了時にスタートスイッチ８を再度押してオフの状態に戻す。
【００３２】
また、読み込みスイッチ９は、押下すると入力端子１４に接続されたスキャナ２０がスキャナ２０の原稿台に置いた楽譜６０を読み込み、楽譜データを自動楽譜めくり機１に取り込む。スキャナ２０を接続するための入力端子１４は、ホルダー２の右側面の中央付近に配設されている。
【００３３】
また、ホルダー２の前面の左右には、マイク６が配設されている。マイク６は、演奏者が演奏する楽曲を入力するための入力装置である。
【００３４】
また、ホルダー２に内部には、複数個（図２では３個）のモータ１０と、ワイヤ１１を支えモータ１０の動力によりワイヤ１１を動かすために、１本のワイヤ１１に対し５個のプーリ１２とが設けられている。また、マイク６、モータ１０、入力端子１４、並びに電源７、スタートスイッチ８及び読み込みスイッチ９のスイッチ類と接続されている制御装置１３が設けられている。制御装置１３は、電源７がオンになることにより動作し、後述する制御を行うことにより、モータ１０を回転させ、ワイヤ１１及び、ワイヤ１１に溶着されたページめくり棒４を動かす。
【００３５】
［図解図］
図３は、本発明の好適な実施形態の一例に係る自動楽譜めくり機１が、楽譜６０をめくる状態を表した図解図である。
【００３６】
図３の（１）から（３）にわたって、右方の１組２本のページめくり棒４が、左方に動くことにより、ページめくり棒４に挟まれた楽譜６０のページがめくられる状態を表している。ページめくり棒４に、該当ページを予め挟むようにセットしておく。そのセット方法は、楽譜６０の中央に向かって内側のページめくり棒４がページの前面に見える状態に、外側のページめくり棒４がページの背後になるようにしておく（図３の（１））。
【００３７】
右から左にページめくり棒４をスライドさせることにより、中央に向かって外側で、ページの背後に隠れていたページめくり棒４が、楽譜６０のページの中央部に来た時点で、ページの内側に見える状態になる。また、それと同時に、中央に向かって内側のページめくり棒４がページ背後かつ外側に見えない状態になる（図３の（２））。
【００３８】
そのまま左方に、楽譜６０のページの左端よりやや内側付近までページめくり棒４が進む（図３の（３））。このような原理により、ページをめくることができるのである。ページが戻る場合には、逆に、ページめくり棒４を左から右にスライドすることにより、逆にページをめくることができる。
【００３９】
［ブロック図］
図４及び図５は、本発明の好適な実施形態の一例に係る自動楽譜めくり機１の制御を示す機能ブロック図である。図４は、自動楽譜めくり機１が上述の図２で示すホルダー２を設けた構造の譜面台である場合であり、他方、図５は、自動楽譜めくり機１がディスプレイ２１のような電子表示板である場合を示す。
【００４０】
図４のマイク６から入力された楽曲は、制御装置１３の楽曲入力部５０により入力され、制御部３０に送信される。制御部３０は、少なくとも楽曲データ変換部３１、楽譜データ位置把握部３２、及び楽譜めくり部３３を有する。また、制御装置１３は、記憶部４０を有しており、少なくとも楽譜データ記憶部４１、及び楽曲データ記憶部４２を含む。楽譜データ記憶部４１は、楽譜データを記憶するための領域であり、楽曲データ記憶部４２は、楽曲データを記憶するための領域である。
【００４１】
また、演奏者が演奏する楽曲の楽譜６０は、予めスキャナ２０等のイメージ読み取り装置により読み込んでおく。読み込んだ楽譜データは、制御装置１３の画像入力部５２により入力され、制御部３０を介して記憶部４０の楽譜データ記憶部４１に記憶される。
【００４２】
楽曲入力部５０により入力された楽曲は、楽曲データ変換部３１により楽曲データに変換され、変換された楽曲データは、楽曲データ記憶部４２に記憶される。楽譜データ位置把握部３２は、楽曲データ変換部３１で変換された楽曲データに基づき、楽譜データ記憶部４１に記憶された同一楽曲の楽譜データの位置を把握する。楽譜めくり部３３は、所定の条件を満たすと、モータ駆動部５６に該当のモータ１０を動かす指令を送信する。モータ駆動部５６は、楽譜めくり部３３から送信された指令に基づき、モータ１０を駆動させる。
【００４３】
図５は、図４と基本的な構成は同じであるため、異なる点を記述する。制御部３０は、予め楽曲の楽譜６０の最初のページを表示しておく。最初のページとは、最初にスキャナ２０により読み込んだ楽譜６０のページを示す。あるいは、楽譜６０を読み込んだ後に、演奏者がページの並べ替えをすることを可能としてもよい。楽譜めくり部３３は、所定の条件を満たすと、次のページの楽譜データを楽譜データ記憶部４１から取り出し、画像出力部５４に当該楽譜データを表示する指令を送信する。画像出力部５４は、楽譜めくり部３３から送信された指令に基づき、該当の楽譜データを表示する。
【００４４】
［実施例］
図６は、本発明の好適な実施形態の一例に係る自動楽譜めくり機１の実施例を示した図である。実施例では、自動楽譜めくり機１の機能の一部について記述する。機能の一部とは、ここでは楽曲から楽曲データに変換する機能、及び楽譜データの位置を把握する機能である。
【００４５】
図６の上部には、楽譜データを図として表したものが示されている。ここで、楽譜データは、自動楽譜めくり機１のホルダー２に載置した楽譜６０の開いたページの内容を示す。また、図６の下部には、楽曲データを図として表したものが示されている。この楽曲データは、演奏者が演奏した楽曲を順次楽曲データに変換したものである。本実施例では、演奏者が「ド・レ・ミ・ファ・ソ」と演奏した後に、「ソ」の音を楽曲データとして変換したところまでが示されている。図６の上部に示す楽譜データには、「ソ」の音を示す音符と、その次に演奏される音符との間に線が引かれているが、これは、「ソ」の音まで楽譜データの位置を把握したことを示す。
【００４６】
また、図６の楽譜データ上には、楽譜めくり用マーク６１が付されている。本実施例では、楽譜めくり用マーク６１は、丸に数字が書かれたものであり、この楽譜めくり用マーク６１まで楽曲データに変換され、楽譜データの位置が把握されると、数字に書かれたページ分のページをめくる制御を行うものである。従って、この場合、現在の「ソ」の音から２音先の「ソ」の音の位置が把握されたタイミングで、自動楽譜めくり機１は、次のページを表示するためにページをめくる制御を行うのである。
【００４７】
［フローチャート］
図７は、本発明の好適な実施形態の一例に係る自動楽譜めくり機１の楽譜めくり処理を示すフローチャートである。
【００４８】
先ず、ステップＳ１では、制御部３０は、楽譜６０を読み込むための読み込みスイッチ９がオンか否かを判断する。読み込みスイッチ９がオンである場合（ステップＳ１の処理でＹＥＳが判断された場合）には、制御部３０は、処理をステップＳ２に移す。他方、読み込みスイッチ９がオフである場合（ステップＳ１の処理でＮＯが判断された場合）には、制御部３０は、引き続きステップＳ１の処理を行い、読み込みスイッチ９がオンになるのを待つ。
【００４９】
ステップＳ２では、制御部３０（画像入力部５２）は、スキャナ２０から送信された楽譜データを読み込む。制御部３０は、読み込んだ楽譜データを楽譜データ記憶部４１に記憶する。その後、制御部３０は、処理をステップＳ３に移す。
【００５０】
ステップＳ３では、制御部３０は、スタートスイッチ８がオンか否かを判断する。スタートスイッチ８をオンにするタイミングは、演奏者が、楽曲の演奏を開始する時である。スタートスイッチ８がオンである場合（ステップＳ３の処理でＹＥＳが判断された場合）には、制御部３０は、処理をステップＳ４に移す。他方、スタートスイッチ８がオフである場合（ステップＳ３の処理でＮＯが判断される場合）には、制御部３０は、引き続きステップＳ３の処理を行い、スタートスイッチ８がオンになるのを待つ。
【００５１】
ステップＳ４では、制御部３０は、楽曲の入力処理を起動する。具体的には、制御部３０（楽曲入力部５０）が楽曲の入力を受け付け、制御部３０（楽曲データ変換部３１）が楽曲入力部５０で受け付けた楽曲を楽曲データに変換する。また、制御部３０は、変換した楽曲データを楽曲データ記憶部４２に記憶する。その後、制御部３０は、処理をステップＳ５に移す。
【００５２】
ステップＳ５では、制御部３０（楽譜データ位置把握部３２）は、楽曲データ記憶部４２に記憶した楽曲データに基づき、当該楽曲の楽譜データでの演奏位置を把握する。その後、制御部３０は、処理をステップＳ６に移す。
【００５３】
ステップＳ６では、制御部３０（楽譜めくり部３３）は、楽譜６０のページめくりのタイミングか否かを判断する。具体的には、楽譜６０をめくる制御に必要なデータを有する楽譜めくり用マーク６１が楽譜データに付されており、演奏位置として認識した位置が、この楽譜めくり用マーク６１が付された箇所に一致したか否かを判断する。ページめくりのタイミングである場合（ステップＳ６の処理でＹＥＳが判断された場合）には、制御部３０（楽譜めくり部３３）は、処理をステップＳ７に移す。他方、ページめくりのタイミングでない場合（ステップＳ６の処理でＮＯが判断された場合）には、制御部３０（楽譜めくり部３３）は、処理をステップＳ４に移す。
【００５４】
ステップＳ７では、制御部３０（モータ駆動部５６）は、ページをめくる処理を行う。具体的には、制御部３０からの指令により、駆動対象のモータ１０及びその駆動方向が指定されるため、該当のモータ駆動部５６は、その指令に従いモータ１０を回転させる。モータ１０が回転すると、モータ１０と繋がれたプーリ１２が同様に回転し、当該プーリ１２に這わされたワイヤ１１が左方又は右方に動く。これにより、ワイヤ１１に溶着されたページめくり棒４が動き、ホルダー２に載置された楽譜６０のページをめくることができる。
【００５５】
なお、制御部３０は、楽譜データに付された楽譜めくり用マーク６１に基づき、駆動するモータ１０及びその駆動方向を指定する。楽譜めくり用マーク６１には、楽譜６０をめくる順番と、楽譜６０をめくる枚数を指定しためくりページ数が指定されているため、当該情報を用いることにより上述の機能を実現できる。その後、制御部３０は、処理をステップＳ８に移す。
【００５６】
ステップＳ８では、制御部３０は、スタートスイッチ８がオフか否かを判断する。スタートスイッチ８をオフにするタイミングは、演奏者が、楽曲の演奏を終了した後である。スタートスイッチ８がオフである場合（ステップＳ８の処理でＹＥＳが判断された場合）には、制御部３０は、本処理を終了する。他方、スタートスイッチ８がオンである場合（ステップＳ８の処理でＮＯが判断される場合）には、制御部３０は、ステップＳ４に処理を移し、引き続き、ページめくりのための処理を行う。
【００５７】
以上、実施例について説明したが、本発明はこれに限られるものではない。
【００５８】
実施例では、楽譜めくり機を、モータを原動力としてページめくり棒を左右に動かすことによりページをめくる機能を実現するものとしたが、これに限られない。冊子である楽譜６０を載置するホルダーと、このホルダーの略中央から複数の針金状のページめくり杆が、その一端が回転軸受けを介してモータに接続され、他端がホルダーに載置した状態の楽譜ページに差し入れては位置した状態からそのページをモータの駆動によってめくることが可能なように設けられているものであってもよい。
【００５９】
実施例では、楽譜めくり用のマークによりページをめくるタイミングを把握していたが、これに限らない。画像データから残り１小節の場所を把握し、当該場所に演奏箇所が到着したタイミングでページをめくるように制御してもよい。
【００６０】
実施例では、別の楽譜めくり機として、ディスプレイに表示するものとしたが、これに限らず、貼付する電子ブックのような技術を適用して、電子ペーパーに適宜楽譜データを表示するようにしてもよい。
【図面の簡単な説明】
【００６１】
【図１】本発明に係る自動楽譜めくり機を含む、全体構成を示す概略図である。
【図２】本発明に係る自動楽譜めくり機を示す構成図である。
【図３】本発明に係る自動楽譜めくり機が、楽譜をめくる状態を表した図解図である。
【図４】本発明に係る自動楽譜めくり機の制御を示す機能ブロック図である。
【図５】本発明に係る自動楽譜めくり機の制御を示す機能ブロック図である。
【図６】本発明に係る自動楽譜めくり機の実施例示す図である。
【図７】本発明に係る自動楽譜めくり機の楽譜めくり処理を示すフローチャートである。
【符号の説明】
【００６２】
１    自動楽譜めくり機
２    ホルダー
３    固定棒
４    ページめくり棒
５    ストッパ
６    マイク
７    電源
８    スタートスイッチ
９    読み込みスイッチ
１０  モータ
１１  ワイヤ
１２  プーリ
１３  制御装置
１４  入力端子
２０  スキャナ
２１  ディスプレイ
３０  制御部
３１  楽曲データ変換部
３２  楽譜データ位置把握部
３３  楽譜めくり部
４０  記憶部
４１  楽譜データ記憶部
４２  楽曲データ記憶部
５０  楽曲入力部
５２  画像入力部
５４  画像出力部
５６  モータ駆動部
６０  楽譜
【図１】
2008126617.tif 000003
【図２】
2008126617.tif 000004
【図３】
2008126617.tif 000005
【図４】
2008126617.tif 000006
【図５】
2008126617.tif 000007
【図６】
2008126617.tif 000008
【図７】
2008126617.tif 000009